(57)【要約】【課題】毛髪の全体をより適当な乾燥状態にすることができるヘアドライヤーを提供する。【解決手段】本発明に係るヘアドライヤーは、温風を送風する送風部と、送風部から送風された温風により加熱されている毛髪の温度を検知する毛髪温度検知部と、温度検知部により検知された毛髪の温度の単位時間あたりの変化量を加熱時間に対して積算し、当該積算の結果に基づいて、温風により毛髪に与えた加熱量を算出する加熱量算出部と、加熱量算出部により算出された加熱量に基づいて毛髪の全体に含まれる水分量を推定し、当該水分量が予め設定された少なくとも１つの水分量基準値に達しているか否かを判定する水分量判定部と、水分量判定部により判定された結果に基づいて、水分量に関する情報をユーザに伝達する水分量伝達部とを備える。【選択図】図１
2018175726.tif 000002
【特許請求の範囲】
【請求項１】
温風を送風する送風部と、
前記送風部から送風された温風により加熱されている毛髪の温度を検知する毛髪温度検知部と、
前記毛髪温度検知部により検知された毛髪の温度の単位時間あたりの変化量を加熱時間に対して積算し、当該積算の結果に基づいて、前記温風により毛髪に与えた加熱量を算出する加熱量算出部と、
前記加熱量算出部により算出された加熱量に基づいて毛髪の全体に含まれる水分量を推定し、当該水分量が予め設定された少なくとも１つの水分量基準値に達しているか否かを判定する水分量判定部と、
前記水分量判定部により判定された結果に基づいて、水分量に関する情報をユーザに伝達する水分量伝達部と、
を備える、ヘアドライヤー。
【請求項２】
毛髪の長さを入力する長さ入力部を更に備え、
前記水分量判定部は、前記長さ入力部により入力された毛髪の長さに応じて、前記加熱量算出部により算出された加熱量に基づいて推定された前記水分量を補正し、当該補正された水分量が予め設定された少なくとも１つの水分量基準値に達しているか否かを判定する、請求項１に記載のヘアドライヤー。
【請求項３】
毛髪の毛量を入力する毛量入力部を更に備え、
前記水分量判定部は、前記毛量入力部により入力された毛髪の毛量に応じて、前記加熱量算出部により算出された加熱量に基づいて推定された前記水分量を補正し、当該補正された水分量が予め設定された少なくとも１つの水分量基準値に達しているか否かを判定する、請求項１又は２に記載のヘアドライヤー。
【請求項４】
毛髪の周囲の環境温度を検知する環境温度検知部を更に備え、
前記水分量判定部は、前記環境温度検知部により検知された前記環境温度に応じて、前記加熱量算出部により算出された加熱量に基づいて推定された前記水分量を補正し、当該補正された水分量が予め設定された少なくとも１つの水分量基準値に達しているか否かを判定する、請求項１〜３のいずれか１項に記載のヘアドライヤー。
【請求項５】
毛髪の周囲の環境湿度を検知する環境湿度検知部を更に備え、
前記水分量判定部は、前記環境湿度検知部により検知された前記環境湿度に応じて、前記加熱量算出部により算出された加熱量に基づいて推定された前記水分量を補正し、当該補正された水分量が予め設定された少なくとも１つの水分量基準値に達しているか否かを判定する、請求項１〜４のいずれか１項に記載のヘアドライヤー。
【請求項６】
前記温風により加熱される毛髪の加熱開始時からの経過時間を検知する加熱時間検知部を更に備え、
前記水分量判定部は、前記加熱時間検知部により検知された前記経過時間に応じて、前記加熱量算出部により算出された加熱量に基づいて推定された前記水分量を補正し、当該補正された水分量が予め設定された少なくとも１つの水分量基準値に達しているか否かを判定する、請求項１〜５のいずれか１項に記載のヘアドライヤー。
【請求項７】
前記毛髪の全体に含まれる水分量に関する情報をユーザに伝達する水分量伝達部を更に備え、
前記水分量伝達部は、複数の発光体を有し、前記水分量判定部により判定された結果に基づいて、発光させる発光体を変更する、請求項１〜６のいずれか１項に記載のヘアドライヤー。
【請求項８】
前記毛髪の全体に含まれる水分量に関する情報をユーザに伝達する水分量伝達部を更に備え、
前記水分量伝達部は、少なくとも１つの発光体を有し、前記水分量判定部により判定された結果に基づいて、発光体の光量又は色を変更する、
請求項１〜６のいずれか１項に記載のヘアドライヤー。
【発明の詳細な説明】
【技術分野】
【０００１】
本発明は、毛髪の温度を検知する機能を有するヘアドライヤーに関する。
【背景技術】
【０００２】
従来、この種のヘアドライヤーとして、例えば、特許文献１に記載されたものが知られている。特許文献１には、毛髪から発せられる赤外線を検知することによって毛髪の温度を検知し、検知された毛髪の温度が所定の温度に達すると、ＬＥＤを点灯するように構成されたヘアドライヤーが記載されている。
【先行技術文献】
【特許文献】
【０００３】
【特許文献１】特開平５−９５８１３号公報
【発明の概要】
【発明が解決しようとする課題】
【０００４】
しかしながら、特許文献１のヘアドライヤーでは、毛髪の全体をより適当な乾燥状態にするという観点において、未だ改善の余地がある。
【０００５】
従って、本発明の目的は、前記課題を解決することにあって、毛髪の全体をより適当な乾燥状態にすることができるヘアドライヤーを提供することにある。
【課題を解決するための手段】
【０００６】
前記目的を達成するために、本発明に係るヘアドライヤーは、
温風を送風する送風部と、
前記送風部から送風された温風により加熱されている毛髪の温度を検知する毛髪温度検知部と、
前記温度検知部により検知された毛髪の温度の単位時間あたりの変化量を加熱時間に対して積算し、当該積算の結果に基づいて、前記温風により毛髪に与えた加熱量を算出する加熱量算出部と、
前記加熱量算出部により算出された加熱量に基づいて毛髪の全体に含まれる水分量を推定し、当該水分量が予め設定された少なくとも１つの水分量基準値に達しているか否かを判定する水分量判定部と、
前記水分量判定部により判定された結果に基づいて、水分量に関する情報をユーザに伝達する水分量伝達部と、
を備えるように構成されている。
【発明の効果】
【０００７】
本発明に係るヘアドライヤーによれば、毛髪の全体をより適当な乾燥状態にすることができる。
【図面の簡単な説明】
【０００８】
【図１】本発明の実施形態に係るヘアドライヤーの斜視図である。
【図２】図１のヘアドライヤーの内部構成を示す縦断面図である。
【図３】図１のヘアドライヤーの制御部に関するブロック図である。
【図４】温風により加熱しているときの毛髪の温度変化の一例を示すグラフである。
【図５】毛髪に与えた加熱量を積算する原理を説明するためのグラフである。
【図６】毛髪に与えた加熱量と毛髪の水分量との関係を示すグラフである。
【図７】水分量表示部に表示される例を示す図である。
【図８】水分量表示部に表示される変形例を示す図である。
【図９】水分量表示部に表示される変形例を示す図である。
【図１０】毛髪に与えた加熱量と毛髪の水分量との関係を示すグラフである。
【図１１】毛髪の水分量と毛髪の温度との関係を示すグラフである。
【発明を実施するための形態】
【０００９】
（本開示の基礎となった知見）
本発明者らは、毛髪の全体をより適当な乾燥状態にするため、鋭意検討した結果、以下の新規な知見を得た。
【００１０】
毛髪の全体をより適当な乾燥状態にするには、毛髪の全体が最適な水分量になるまで、毛髪の全体を過不足なく加熱することが望まれる。従来、毛髪の温度が毛髪の乾燥状態の判断指針として利用されている。しかしながら、毛髪に含まれる水分量は、毛髪の温度に対して比例関係にはない。
【００１１】
例えば、温風を当てている毛髪において、加熱開始時には、毛髪に含まれる水分量（水分率）が３５％であり、毛髪の温度が３０度であるとする。また、加熱終了時において、毛髪に含まれる最適な水分量が１０％であり、当該最適な水分量にするのに必要な毛髪の温度が６０度であるとする。この場合、ヘアドライヤーによって加熱し始めたとき、図１１に示すように、毛髪の温度が急速に上昇し、約５０度以上になると、毛髪の温度変化が小さくなる。毛髪の温度が約６０度に到達すると、温度をほぼ一定に維持しつつ、水分量が減り続ける。より具体的には、毛髪に含まれる水分量が１０％〜２０％であるとき、毛髪の温度は約６０度で維持される。
【００１２】
このため、毛髪の温度が所定の温度（例えば、６０度）に達したときにＬＥＤを点灯して、ユーザに乾燥状態を表示する従来の構成では、毛髪に含まれる水分量が最適な水分量である１０％になる前に、ＬＥＤが点灯してしまう。このため、ユーザは、温風を当てている毛髪の部分の乾燥が終了したと誤認識して、温風を当てる部分を毛髪の他の部分に変えるか、或いはヘアドライヤーの動作を停止させる。この場合、毛髪の全体の乾燥状態が不充分となる。
【００１３】
また、通常、ユーザは、毛髪の全体をより均一に乾燥させるために、温風を当てる毛髪の部分を変える。このとき、温風によって加熱され、最適な水分量に到達した毛髪の部分の温度は、温風を当てていない間に低下する。この状態で、当該毛髪の部分に再び温風を当てると、当該毛髪の部分の温度が６０度に到達するまでＬＥＤが点灯しない。このため、ユーザは、当該毛髪の部分の乾燥が不充分であると誤認識して、当該毛髪の部分に温風を当て続けてしまうことが起こり得る。この場合、毛髪の全体が過剰に加熱されることになる。
【００１４】
これに対し、本発明者らは、毛髪の全体に含まれる水分量と毛髪に与えた加熱量との間に相関関係があることを見出した。また、本発明者らは、毛髪の温度に基づいて加熱量を算出し、当該加熱量に基づいて毛髪の全体に含まれる水分量を推定し、当該水分量に関する情報をユーザに伝達することで、毛髪の全体をより適当な乾燥状態できることを見出した。これらの新規な知見に基づき、本発明者らは、以下の発明に至った。
【００１５】
本発明の第１態様によれば、温風を送風する送風部と、
前記送風部から送風された温風により加熱されている毛髪の温度を検知する毛髪温度検知部と、
前記温度検知部により検知された毛髪の温度の単位時間あたりの変化量を加熱時間に対して積算し、当該積算の結果に基づいて、前記温風により毛髪に与えた加熱量を算出する加熱量算出部と、
前記加熱量算出部により算出された加熱量に基づいて毛髪の全体に含まれる水分量を推定し、当該水分量が予め設定された少なくとも１つの水分量基準値に達しているか否かを判定する水分量判定部と、
前記水分量判定部により判定された結果に基づいて、水分量に関する情報をユーザに伝達する水分量伝達部と、
を備える、ヘアドライヤーを提供する。
【００１６】
本発明の第２態様によれば、毛髪の長さを入力する長さ入力部を更に備え、
前記水分量判定部は、前記長さ入力部により入力された毛髪の長さに応じて、前記加熱量算出部により算出された加熱量に基づいて推定された前記水分量を補正し、当該補正された水分量が予め設定された少なくとも１つの水分量基準値に達しているか否かを判定する、第１態様に記載のヘアドライヤーを提供する。
【００１７】
本発明の第３態様によれば、毛髪の毛量を入力する毛量入力部を更に備え、
前記水分量判定部は、前記毛量入力部により入力された毛髪の毛量に応じて、前記加熱量算出部により算出された加熱量に基づいて推定された前記水分量を補正し、当該補正された水分量が予め設定された少なくとも１つの水分量基準値に達しているか否かを判定する、第１又は２態様に記載のヘアドライヤーを提供する。
【００１８】
本発明の第４態様によれば、毛髪の周囲の環境温度を検知する環境温度検知部を更に備え、
前記水分量判定部は、前記環境温度検知部により検知された前記環境温度に応じて、前記加熱量算出部により算出された加熱量に基づいて推定された前記水分量を補正し、当該補正された水分量が予め設定された少なくとも１つの水分量基準値に達しているか否かを判定する、第１〜３態様のいずれか１つに記載のヘアドライヤーを提供する。
【００１９】
本発明の第５態様によれば、毛髪の周囲の環境湿度を検知する環境湿度検知部を更に備え、
前記水分量判定部は、前記環境湿度検知部により検知された前記環境湿度に応じて、前記加熱量算出部により算出された加熱量に基づいて推定された前記水分量を補正し、当該補正された水分量が予め設定された少なくとも１つの水分量基準値に達しているか否かを判定する第１〜４態様のいずれか１つに記載のヘアドライヤーを提供する。
【００２０】
本発明の第６態様によれば、前記温風により加熱される毛髪の加熱開始時からの経過時間を検知する加熱時間検知部を更に備え、
前記水分量判定部は、前記加熱時間検知部により検知された前記経過時間に応じて、前記加熱量算出部により算出された加熱量に基づいて推定された前記水分量を補正し、当該補正された水分量が予め設定された少なくとも１つの水分量基準値に達しているか否かを判定する、第１〜５態様のいずれか１つに記載のヘアドライヤーを提供する。
【００２１】
本発明の第７態様によれば、前記水分量伝達部は、複数の発光体を有し、前記水分量判定部により判定された結果に基づいて、発光させる発光体を変更する、第１〜６態様のいずれか１つに記載のヘアドライヤーを提供する。
【００２２】
本発明の第８態様によれば、前記水分量伝達部は、少なくとも１つの発光体を有し、前記水分量判定部により判定された結果に基づいて、発光体の光量又は色を変更する、第１〜６態様のいずれか１つに記載のヘアドライヤーを提供する。
【００２３】
以下、本発明の実施形態について、図面を参照しながら説明する。なお、この実施形態によって本発明が限定されるものではない。
【００２４】
また、以下では、説明の便宜上、通常使用時の状態を想定して「上」、「下」、「前」、「後」等の方向を示す用語を用いるが、本発明のヘアドライヤーの使用状態等を限定することを意味するものではない。
【００２５】
《実施形態》
本発明の実施形態に係るヘアドライヤーの全体構造について説明する。
【００２６】
図１は、本発明の実施形態に係るヘアドライヤーの斜視図である。図２は、図１のヘアドライヤーの内部構成を示す縦断面図である。
【００２７】
図１に示すように、本実施形態に係るヘアドライヤー１は、本体部１０と、ハンドル部２０とを備えている。
【００２８】
図２に示すように、本体部１０の内部には、温風を送風する送風部１１が設けられている。送風部１１は、ファン１２と、駆動源の一例であるモータ１３と、加熱部の一例であるヒータ１４とを備えている。ファン１２は、モータ１３により回転駆動されることにより、本体部１０の後端部に設けられた吸引口１０ａを通じて外部の空気を本体部１０内に取り込み、本体部１０の前部に設けられた送風口１０ｂを通じて外部に送風するように構成されている。ヒータ１４は、ファン１２から送風される空気を加熱して温風を生成する。なお、送風口１０ｂの近傍の詳細な構成については、従来のハンドドライヤーと同様であるので省略する。
【００２９】
また、本体部１０の内部には、毛髪の周囲の環境温度を検知する環境温度検知部の一例である室温センサ１５と、毛髪の周囲の環境湿度を検知する環境湿度検知部の一例である湿度センサ１６とが設けられている。
【００３０】
本体部１０の前部には、図１及び図２に示すように、毛髪の温度を検知する毛髪温度センサの一例である赤外線センサ１７と、水分量伝達部の一例である水分量表示部１８が設けられている。赤外線センサ１７は、毛髪から発せられる赤外線を検知することにより、毛髪の温度を検知する。
【００３１】
本体部１０の上部には、毛髪の長さを入力する長さ入力部１９Ａと、毛髪の毛量を入力する毛量入力部１９Ｂとが設けられている。長さ入力部１９Ａは、例えば、「短い」、「普通」、「長い」の三段階で毛髪の長さを入力可能に構成されている。毛量入力部１９Ｂは、例えば、「多い」、「普通」、「少ない」の三段階で毛髪の毛量を入力可能に構成されている。
【００３２】
ハンドル部２０は、略筒状の形成されている。ハンドル部２０の上端部２０ａは、本体部１０の後方下端部１０ｃに回動可能に取り付けられている。ハンドル部２０の下端部２０ｂには、電源コード２１が接続されている。電源コード２１が外部電源に接続されることにより、ヘアドライヤー１を駆動するための電力が供給される。
【００３３】
ハンドル部２０の前側面には、入力部の一例であるスイッチ２３が設けられている。ユーザは、スイッチ２３を操作することにより、電源のオンオフ、温風及び冷風の切換え、風量の切換え等を行うことができる。
【００３４】
ハンドル部２０の内部には、各部及び各装置の動作を制御する制御部２２が設けられている。
【００３５】
図３は、本実施形態に係るヘアドライヤー１の制御部２２に関するブロック図である。
【００３６】
図３に示すように、制御部２２は、送風部１１と、室温センサ１５と、湿度センサ１６と、赤外線センサ１７と、水分量表示部１８と、長さ入力部１９Ａと、毛量入力部１９Ｂと、スイッチ２３とに電気的に接続されている。制御部２２は、スイッチ２３を通じて入力された入力情報、室温センサ１５、湿度センサ１６、及び赤外線センサ１７の検知情報に基づいて、送風部１１の駆動を制御する。制御部２２は、加熱時間検知部２４と、加熱量算出部２５と、水分量判定部２６とを備えている。
【００３７】
加熱時間検知部２４は、温風により加熱される毛髪の加熱開始時からの経過時間を検知する。
【００３８】
加熱量算出部２５は、赤外線センサ１７により検知された毛髪の温度の単位時間あたりの変化量を加熱時間に対して積算し、当該積算の結果に基づいて、温風により毛髪に与えた加熱量を算出する。
【００３９】
図４は、温風により加熱（乾燥）しているときの毛髪の温度変化の一例を示すグラフである。図４に示すように、加熱時間が増加するに従い、毛髪の温度は、室温（例えば、２５度）を基準として、上下に大きく変動しつつ、緩やかに上昇する。図４において、一点鎖線は、毛髪の温度の略平均を示している。
【００４０】
図５は、毛髪に与えた加熱量を積算する原理を説明するためのグラフである。図５に示すように、加熱量算出部２５は、毛髪の温度の単位時間ｔｍあたりの変化量を加熱時間に対して積算する。すなわち、加熱量算出部２５は、毛髪の温度変化曲線と室温を示す直線とで挟まれる領域（図５の斜線部分）の面積を算出する。当該面積が毛髪に与えた加熱量となる。
【００４１】
なお、室温を基準としているのは、温風の当てていないとき（加熱していないとき）の毛髪の温度が室温（環境温度）と同じ又は略同じであると想定できるからである。本実施形態において、室温は、室温センサ１５により検知されるが、赤外線センサ１７により検知されてもよい。すなわち、赤外線センサ１７が毛髪の温度を検知するとともに室温を検知するように構成されてもよい。また、加熱量算出部２５が、室温と想定される温度を予め記憶していてもよい。この場合、室温センサ１５を設ける必要性を無くすことができる。
【００４２】
なお、加熱中にユーザによってヘアドライヤー１の電源が一旦オフされた後、再びオンされることが起こり得る。この場合、例えば、電源がオフである期間が予め設定された時間以内であれば、ヘアドライヤー１を実質的に連続使用していると見なし、加熱量を積算してもよい。
【００４３】
水分量判定部２６は、加熱量算出部２５により算出された加熱量に基づいて毛髪の全体に含まれる水分量を推定し、当該水分量が予め設定された少なくとも１つの水分量基準値に達しているか否かを判定する。
【００４４】
図６は、毛髪に与えた加熱量と毛髪の水分量との関係を示すグラフである。図６に示すように、加熱開始時に毛髪に含まれる水分量（水分率）が３５％であり、加熱終了時に毛髪に含まれる最適な水分量が１０％であるとする。この場合、毛髪に与えた加熱量は、毛髪の水分量の減少に比例して増加する。すなわち、毛髪に与えた加熱量と毛髪の水分量とは比例関係にある。従って、水分量判定部２６は、毛髪に与えた加熱量に基づいて毛髪の全体の水分量を推定することができる。水分量判定部２６には、毛髪に与えた加熱量と毛髪の水分量との比例関係に基づく水分量判定式が予め記憶されている。
【００４５】
水分量判定部２６は、前記推定した水分量が予め設定された少なくとも１つの水分量基準値に達しているか否かを判定する。例えば、前記推定した水分量が２５％であり、水分量基準値が２０％である場合、水分量判定部２６は、前記推定した水分量が水分量基準値に達していないと判定する。また、例えば、前記推定した水分量が１５％であり、水分量基準値が２０％である場合、水分量判定部２６は、前記推定した水分量が水分量基準値に達していると判定する。
【００４６】
図１及び図２に示す水分量表示部１８は、水分量判定部２６により判定された結果に基づいて、水分量に関する情報を表示する。本実施形態において、水分量表示部１８は、発光体の一例である少なくとも１つのＬＥＤを備えている。水分量表示部１８は、図７に示すように、水分量判定部２６により判定された結果に基づいて、ＬＥＤの色を変化させる。なお、図７は、説明の便宜上、ＬＥＤの色の変化をハッチングの間隔の違いで表している。
【００４７】
例えば、水分量表示部１８は、水分量判定部２６により判定された結果が水分量基準値に達していない場合、ＬＥＤの色を青にする。一方、水分量表示部１８は、水分量判定部２６により判定された結果が水分量基準値に達している場合、ＬＥＤの色を赤にする。ユーザは、ＬＥＤの色を確認することによって、加熱の進捗状況を知ることができる。その結果、毛髪の全体をより適当な乾燥状態にすることができる。
【００４８】
なお、水分量判定部２６は、複数（例えば、３つ）の水分量基準値を有し、前記推定した水分量がいずれの水分量基準値に達しているか否かを判定するように構成されることが好ましい。この場合、水分量判定部２６により判定された結果に応じて水分量表示部１８が順に表示する色の種類（例えば、青→緑→黄→赤）を増加させることにより、ユーザは、加熱の進捗状況をより詳細に知ることができる。
【００４９】
なお、水分量表示部１８は、ＬＥＤの色を変更することに代えて、ＬＥＤの光量を変更するように構成されてもよい。この構成によっても、ユーザは、加熱の進捗状況をより詳細に知ることができる。
【００５０】
また、水分量表示部１８は、図８に示すように、複数の発光体の一例として複数（例えば、８つ）のＬＥＤを有し、水分量判定部２６により判定された結果に基づいて、発光させるＬＥＤを変更するようにしてもよい。この場合、例えば、右側又は左側から順にＬＥＤを点灯又は消灯させてもよい。また、点灯するＬＥＤが右側又は左側から順に変わるようにしてもよい。また、図８に示すように、水分量表示部１８は、本体部１０の前部ではく、側面に設けられてもよい。この場合、ユーザがハンドル部２０を持つ持ち手が右手であっても左手であっても、水分量表示部１８が見えるように、水分量表示部１８は、本体部１０の両側面に設けられることが好ましい。
【００５１】
また、水分量表示部１８は、図９に示すように、７セグメントディスプレイを備えて、水分量に関する情報をデジタル表示するように構成されてもよい。この構成によっても、ユーザは、加熱の進捗状況をより詳細に知ることができる。
【００５２】
本実施形態に係るヘアドライヤー１によれば、毛髪の温度に基づいて加熱量を算出し、当該加熱量に基づいて毛髪の全体に含まれる水分量を推定し、当該水分量に関する情報をユーザに伝達するように構成されている。これにより、毛髪の全体をより適当な乾燥状態にすることができる。
【００５３】
次に、長さ入力部１９Ａに毛髪の長さが入力された場合について説明する。
【００５４】
毛髪の長さが異なる場合、毛髪の全体を最適な水分量にするのに必要な加熱量も異なる。例えば、毛髪の長さが長い場合、毛髪の全体を最適な水分量にするのに必要な加熱量は、毛髪の長さが短い又は普通の場合よりも多くなる。このため、毛髪に与えた加熱量と毛髪の水分量とは、毛髪の長さに応じて図１０に示すような関係にある。図１０において、一点鎖線は、毛髪の長さが長い場合における毛髪に与えた加熱量と毛髪の水分量との関係を示している。また、実線は、毛髪の長さが普通である場合における毛髪に与えた加熱量と毛髪の水分量との関係を示している。また、二点鎖線は、毛髪の長さが短い場合における毛髪に与えた加熱量と毛髪の水分量との関係を示している。
【００５５】
このため、水分量判定部２６は、長さ入力部１９Ａにより入力された毛髪の長さに応じて、加熱量算出部２５により算出された加熱量に基づいて推定された水分量を補正し、当該補正された水分量が水分量基準値に達しているか否かを判定することが好ましい。これにより、毛髪の長さを考慮して、毛髪の全体をより適当な乾燥状態にすることができる。
【００５６】
次に、毛量入力部１９Ｂに毛髪の毛量が入力された場合について説明する。
【００５７】
前述した毛髪の長さが異なる場合と同様に、毛髪の毛量が異なる場合、毛髪の全体を最適な水分量にするのに必要な加熱量も異なる。例えば、毛髪の毛量が多い場合、毛髪の全体を最適な水分量にするのに必要な加熱量は、毛髪の毛量が少ない又は普通の場合よりも多くなる。このため、毛髪に与えた加熱量と毛髪の水分量とは、毛髪の毛量に応じて図１０に示す関係と同様な関係にある。
【００５８】
この場合、水分量判定部２６は、毛量入力部１９Ｂにより入力された毛髪の毛量に応じて、加熱量算出部２５により算出された加熱量に基づいて推定された水分量を補正し、当該補正された水分量が水分量基準値に達しているか否かを判定することが好ましい。これにより、毛髪の毛量を考慮して、毛髪の全体をより適当な乾燥状態にすることができる。
【００５９】
また、ユーザによっては、片側の毛髪を完全に乾燥させてから、他側の毛髪を乾燥させるようにヘアドライヤー１を使用することがある。このような場合、片側の毛髪を加熱している間に、他側の毛髪が周囲の環境温度（室温）又は環境湿度の影響を受けて自然乾燥し、毛髪の全体を最適な水分量にするのに必要な加熱量が減少することがある。
【００６０】
このため、水分量判定部２６は、室温センサ１５により検知された室温に応じて、加熱量算出部２５により算出された加熱量に基づいて推定された水分量を補正し、当該補正された水分量が水分量基準値に達しているか否かを判定することが好ましい。これにより、室温を考慮して、毛髪の全体をより適当な乾燥状態にすることができる。
【００６１】
また、水分量判定部２６は、湿度センサ１６により検知された湿度に応じて、加熱量算出部２５により算出された加熱量に基づいて推定された水分量を補正し、当該補正された水分量が水分量基準値に達しているか否かを判定することが好ましい。これにより、湿度を考慮して、毛髪の全体をより適当な乾燥状態にすることができる。
【００６２】
また、水分量判定部２６は、加熱時間検知部２４により検知された経過時間に応じて、加熱量算出部２５により算出された加熱量に基づいて推定された水分量を補正し、当該補正された水分量が水分量基準値に達しているか否かを判定することが好ましい。これにより、加熱開始からの経過時間を考慮して、毛髪の全体をより適当な乾燥状態にすることができる。
【００６３】
なお、本発明は前記実施形態に限定されるものではなく、その他種々の態様で実施できる。例えば、前記では、水分量伝達部の一例として水分量表示部１８について説明したが、本発明はこれに限定されない。例えば、水分量伝達部は、音声、振動などによって水分量を伝達するように構成されてもよい。
【００６４】
なお、前記様々な実施形態のうちの任意の実施形態を適宜組み合わせることにより、それぞれの有する効果を奏するようにすることができる。
【００６５】
本発明は、添付図面を参照しながら好ましい実施の形態に関連して充分に記載されているが、この技術に熟練した人々にとっては種々の変形や修正は明白である。そのような変形や修正は、添付した請求の範囲による本発明の範囲から外れない限りにおいて、本発明の請求の範囲内に含まれると理解されるべきである。
【産業上の利用可能性】
【００６６】
本発明は、毛髪の全体をより適当な乾燥状態にすることができるので、業務用や家庭用のヘアドライヤーに有用である。
【符号の説明】
【００６７】
１      ヘアドライヤー
１０    本体部
１０ａ  吸引口
１０ｂ  送風口
１０ｃ  後方下端部
１１    送風部
１２    ファン
１３    モータ
１４    ヒータ
１５    室温センサ
１６    湿度センサ
１７    赤外線センサ
１８    水分量表示部
１９Ａ  長さ入力部
１９Ｂ  毛量入力部
２０    ハンドル部
２０ａ  上端部
２０ｂ  下端部
２１    電源コード
２２    制御部
２３    スイッチ
２４    加熱時間検知部
２５    加熱量算出部
２６    水分量判定部
【図１】
2018175726.tif 000003
【図２】
2018175726.tif 000004
【図３】
2018175726.tif 000005
【図４】
2018175726.tif 000006
【図５】
2018175726.tif 000007
【図６】
2018175726.tif 000008
【図７】
2018175726.tif 000009
【図８】
2018175726.tif 000010
【図９】
2018175726.tif 000011
【図１０】
2018175726.tif 000012
【図１１】
2018175726.tif 000013